(57)【要約】【課題】本考案は一種の『吊り下げ金具』に関するものである。特に野外にも家内にもテントなどの支柱（被付設部材）の適所に吊下体（ランタンなど）を吊り下げるために突設状態に付設する吊り下げ金具を提供することを目的とするものである。【解決手段】主には棒状の吊下支承杆１の基端部に螺旋形状の止着部２を形成し、テントなどの支柱に突設でき、先端部には基端方向へ折曲形成する折り返し吊下部４を形成し、またこの折り返し吊下部４はさらに上方に折曲すると開放部分６を形成しており、それにより吊下体を吊下げようとする際にも、脱離しようとする際にも優れた便利性を具えていることを特徴とする吊り下げ金具１０である。【選択図】図１
0003102051.tif 000002
【実用新案登録請求の範囲】
【請求項１】
棒状の吊下支承杆の基端部に螺旋形状の止着部を形成し、該止着部に滑止被覆材を被覆しており、前記吊下支承杆の先端部に基端方向へＵ字状に折り返す様に折曲して係止部を形成し、吊下支承杆と水平状態になって基端方向へ折曲して折り返し吊下部を形成すると共に、この折り返し吊下部の上方に配設されることになる導入部に導入用の間隙を為す開放部分を形成し、
吊下支承杆の基端部に形成していた止着部により支柱などの被付設部材の適所にからめて装着できるようになっており、さらに吊下体を前記折り返し吊下部の上方に配設されることになる導入部の導入用の間隙を為す開放部分に導入し得るようになっており、前記係止部により、吊下体の落下を確実に防止できるようにしたことを特徴とする吊り下げ金具。
【考案の詳細な説明】
【技術分野】
【０００１】
本考案は一種の『吊り下げ金具』に関するものである。特に野外にも家内にもテントなどの支柱（被付設部材）の適所に吊下体（ランタンなど）を吊り下げるために突設状態に付設する吊り下げ金具を提供することを目的とするものである。
【背景技術】
【０００２】
現代の人々がキャンプやバーベキューなどの活動に熱中してきた。夜になるとランタンなどの照明用具が必要となった。だが、テントなどは支柱と布とから成っており、ランタンなどの照明用具を吊り下げるための吊り下げ適所がほとんど設置されていないので、使用者は、仕方なくランタンなどの照明用具をそのまま地面に置くしかないのである。そうすると、ランタンなどの照明用具による照らされる範囲（面積）がそれに応じて小さくなってしまうので使用者が周りのものをはっきりと見えなくなってしまう。さらには、それだけではなく、ランタンを地面に置くのは邪魔だと思われるようになった。
【考案の開示】
【考案が解決しようとする課題】
【０００３】
このことに鑑み、本考案者は改良を考え、一種の『吊り下げ金具』を考案し、この設計により以下の目的を達成することを希望する。
【０００４】
本考案の目的は一種の『吊り下げ金具』の構造改良を提供することである。その解決手段を説明するため、図１の本考案に係る吊り下げ金具の立体外観図を参照して説明する。
【課題を解決するための手段】
【０００５】
この『吊り下げ金具（１０）』は棒状の吊下支承杆（１）の基端部に螺旋形状の止着部（２）を形成し、この止着部（２）に滑止被覆材（３）を被覆しており、吊下支承杆（１）の先端部に基端方向へＵ字状に折り返す様に折曲して係止部（４ａ）（４ｂ）を形成すると共に、また吊下支承杆（１）と水平状態になって基端方向へ折曲して折り返し吊下部（４）を形成してある。次に、図２乃至図４を参照して説明する。この折り返し吊下部（４）により、吊下体（８）を吊り下げる際には折り返し吊下部（４）の上方に配設されることになる導入部（５）の導入用の間隙を為す開放部分（６）に吊下体（８）を何ら傾けることなくそのままで導入し得るようになっている。
【考案の効果】
【０００６】
本考案に係る吊り下げ金具によれば、棒状の吊下支承杆の基端部に螺旋形状の止着部を形成し、該止着部に滑止被覆材を被覆しており、前記吊下支承杆の先端部に基端方向へＵ字状に折り返す様に折曲して係止部を形成し、吊下支承杆と水平状態になって基端方向へ折曲して折り返し吊下部を形成すると共に、この折り返し吊下部の上方に配設されることになる導入部に導入用の間隙を為す開放部分を形成し、吊下支承杆の基端部に形成していた止着部により支柱などの被付設部材の適所にからめて装着できるようになっており、さらに吊下体を前記折り返し吊下部の上方に配設されることになる導入部の導入用の間隙を為す開放部分に導入し得るようになっており、前記係止部により、吊下体の落下を確実に防止できるようにしたことを特徴とするので、テントなどが支柱と布とから成っており、ランタンなどの吊下体を吊り下げるための吊り下げ適所がほとんど設置されていなくても、容易かつ確実にランタンなどの吊下体を吊り下げる適所を提供でき、ひいては、ランタンなどの照明用具である吊下体を地面より上方に吊り下げることができることにより、照明用具によって照らすことができる範囲（面積）を広くとることができ、使用者が周りのものをはっきりと見えるようにできるという効果を奏するし、ランタンを地面に設置して邪魔だと思われることがない。
【考案を実施するための最良の形態】
【０００７】
考案を実施するための最良の形態を図１乃至４を参照して説明する。本考案に係る吊り下げ金具（１０）は、まず、図１乃至３に示すように、棒状の吊下支承杆（１）の基端部に螺旋形状の止着部（２）を形成してある。更に、止着部（２）に滑止被覆材（３）が被覆してある。吊下支承杆（１）の先端部に基端方向へＵ字状に折り返す様に折曲して係止部（４ａ）（４ｂ）を形成し、吊下支承杆（１）と水平状態になって基端方向へ折曲して折り返し吊下部（４）を形成してある。更に、棒状の吊下支承杆（１）の先端部には、折り返し吊下部（４）の上方に配設されることになる導入部（５）に導入用の間隙を為す開放部分（６）を形成してある。
【０００８】
本考案に係る吊り下げ金具（１０）は、図４に示すように、その使用に際して、吊下支承杆（１）の基端部に折曲し形成していた螺旋形状の止着部（２）により、支柱（７）などの（被付設部材）の適所にからめて装着できるようになっており、止着部（２）の基端寄りを支柱（７）（被付設部材）に嵌合して、吊下支承杆（１）が支柱（７）から突設止着されることになる。次に、吊下支承杆（１）の先端部に形成していた係止部（４ａ）（４ｂ）により吊下体（８）を折り返し吊下部（４）の上部開放部分（６）から導入し落下を確実に防止し得る。また、吊下体（８）を吊下支承杆（１）から脱離しようとする際には、吊下体（８）をやさしく取り上げて係止部（４ａ）（４ｂ）を通し、導入部（５）の開放部分（６）からそのまま脱離すればよい。使用者にとって厄介と成るなどの問題は何ら生ずることのない吊り下げ金具（１０）となる。
【０００９】
上述から分かるように、本考案の『吊り下げ金具（１０）』はランタンなどの吊下体（８）を吊り下げる適所を提供しており、また折り返し吊下部（４）及び係止部（４ａ）（４ｂ）により、吊下体（８）が落下してしまうことを確実に防止できるようになる。それに、吊下体（８）を吊下支承杆（１）から脱離しようとする際も導入しようとする際にも優れた実用性を備えているものであり、実用新案登録の要件に符合するため、ここに法に則り本出願を提出する。
【図面の簡単な説明】
【００１０】
【図１】本考案に係る吊り下げ金具の立体外観図である。
【図２】本考案に係る吊り下げ金具の側視図である。
【図３】本考案に係る吊り下げ金具を俯して見る図である。
【図４】本考案に係る吊り下げ金具の実施図である。
【符号の説明】
【００１１】
（１）吊下支承杆
（２）止着部
（３）滑止被覆材
（４）折り返し吊下部
（４ａ）係止部
（４ｂ）係止部
（５）導入部
（６）開放部分
（７）支柱（被付設部材）
（８）吊下体
（１０）吊り下げ金具
【図１】
0003102051.tif 000003
【図２】
0003102051.tif 000004
【図３】
0003102051.tif 000005
【図４】
0003102051.tif 000006